(57)【特許請求の範囲】
【請求項１】
環状プレート上に固定され、両底面側が開口した略逆円錐台状のフレームと、前記フレーム内に挿入され、両底面側が開口した逆円錐台状のコーンと、前記コーンの狭口部内周縁に一端開口部近傍の外周面が固着され、前記開口部にダストキャップが被冠されたボビンとを有しており、前記コーンの広口部外周縁とフレームの広口部内周面とが、コーンの広口部外周縁にその内周面が固着された、取付後の正面形状が帯状の内側スリット環の外周面と、フレームの広口部内周面にその外周面が固着された、取付後の正面形状が帯状の外側スリット環の内周面とを介し、一定間隔をおいて近接するように設定されており、前記コーンと前記ボビンが支持手段によりフレームに支持されている振動部と、環状プレートと、環状プレートとともに円筒状空隙を画成するように設置されたポールピースと、前記環状プレートと前記ポールピースの間に挟着され、前記円筒状空隙で駆動力を発生させるための永久磁石とを有する磁気回路部とを備えたエッジレススピーカーにおいて、
前記振動部におけるコーンとボビンのフレームへの支持手段が、特定のダンパを支持具とした特定の支持方法によるものであり、
前記支持具となる特定のダンパが、同一長さの略同一平面形状の細長い平板片である２枚のダンパ部材を組合わせたものであり、
前記ダンパ部材のうちの一つのダンパ部材の平面形状が、基端部の幅が先端部の幅よりも大きく、かつその幅の変化が中間部近傍において段差を形成するように生じており、他の一つのダンパ部材の平面形状が、前記一つのダンパ部材の平面形状と略同一で、基端部から先端部近傍までの幅がより小さいものであり、前記二つのダンパ部材の組合せが、ダンパ部材の基端部平面間にスペーサが挟着、固定され、前記スペーサ挟着部分を除いた２枚のダンパ部材の平面間が間隙を有し、それらの平面同士においてそれらの段差のない長辺を基準として合わされ、前記段差部及び先端部が留め具により固定されてなるものであり、
前記特定の支持方法が、前記コーンの外周面に所要間隔で嵌入され、その周縁で固着された径の異なる１以上の支持環及び前記ボビン外周面に嵌入され、その周縁で固着された支持環のそれぞれの複数部位と、それらに斜方向に対向し、かつ水平位置に相当するフレーム内壁面の複数部位とが複数のダンパにより連結されてなるものであり、
前記連結においてダンパが、ダンパの先端部平面が支持環に固着され、ダンパの基端部平面がそれらに対応するフレーム内壁面に固着されており、同一支持環に取付られた複数のダンパ長さがすべて同一で、かつボビンからコーン広口部に行くにつれて異なる支持環に取付られたダンパの長さが短くなるように設定されており、更に、ダンパ長辺が取付後の正面視で水平になるように、かつ取付後の平面視で、コーン広口部周縁の任意の一点と狭口部中心とを結ぶ直線を斜めに横切るように、すべてのダンパの先端部方向が略同一方向で、ダンパ全体として渦流を形成するようにして取付られていることを特徴とするエッジレススピーカー。
【請求項２】
前記支持環のうち、コーン広口部周縁に最も近い位置に取付けられている一つの支持環とボビン外周面に取付けられている支持環が、帯状の長尺体の端部同士が接合され、取付後の平面形状が円形帯状になるように一体となされ、それらの内周縁で取付けられたものであり、他の支持環が、帯状の長尺体の端部同士が接合され、取付後の正面形状が帯状になるように一体となされ、それらの一周縁で取付けられたものである請求項１記載のエッジレススピーカー。
【請求項３】
コーン及びボビンの外周面に取付られた支持環がダンパの取付座を備えている請求項１記載のエッジレススピーカー。
【請求項４】
支持具となるダンパが、幅の狭いダンパ部材がプレート固着面に接するように取付けられている請求項１記載のエッジレススピーカー。
【請求項５】
請求項１記載のエッジレススピーカーにおいて、更に、コーン外周面に、帯状の長尺体の端部同士が接合され、取付後の正面形状が帯状となるように一体となされた径の異なる複数の環状リブが所要間隔で嵌入され、それらの一周縁部で前記外周面に固着されており、コーン内周面に、平面形状が略長方形の細片である複数の縦リブが、その長辺が広口部周縁から狭口部周縁までの間に位置し、狭口部中心から広口部周縁に向かって放射状でかつ等間隔になるように長辺において固着されていることを特徴とするエッジレススピーカー。
【請求項６】
請求項５記載のエッジレススピーカーにおいて、更に、前記内側スリット環外周面と外側スリット環内周面との間隔が、コーン裏側の音を逃がすことができる程度に保持されていることを特徴とするエッジレススピーカー。
【請求項７】
前記間隔が４mmである請求項６記載のエッジレススピーカー。
【請求項８】
前記ダストキャップ下側のボビン内部に、振動吸収部材が取付けられている請求項６記載のエッジレススピーカー。
【請求項９】
前記フレームの内部側壁面が、振動吸収材で被覆されている請求項６記載のエッジレススピーカー。
【請求項１０】
前記フレームと環状プレートとの接合部外周が、接着剤で固定処理されている請求項６記載のエッジレススピーカー。
【発明の詳細な説明】
【０００１】
【発明の属する技術分野】
本発明は、エッジレススピーカーに関し、更に詳しくは、ダンパ及びその取付構造、リブによる補強方法等を改善することにより、スピーカー性能を向上させたエッジレススピーカーに関する。
【０００２】
【従来の技術】
スピーカーには、その動作原理から分類して、動電形（ダイナミック形）、静電形、電磁形、圧電形等種々あるが、現在、一般的に使用されているのは動電形である。次に、この動電形のエッジレススピーカーの一例を、その縦方向（直径方向）の断面図である図２３に基づいて説明する。
【０００３】
エッジレススピーカー３００は、振動板、ボイスコイル等から構成される振動部と、プレート、ポールピース等から構成される磁気回路部とに分けられる。
【０００４】
振動部は、フレーム３０４、振動板（コーン）３０６及びボイスコイル３０８が巻回されたボビン３１０を有しており、ボイスコイル３０８の上面側（コーン３０６側）開口部にはダストキャップ３１２が被冠されている。更に、コーン３０６には内側スリット環３１４がその内周面において固着され、フレーム３０４には外側スリット環３１６がその外周面において固着されている。両スリット環３１４と３１６の間隔Ｗ2 （図２４参照）は、コーン３０６裏側のこもり音を表側（スピーカー前面）に逃がさない幅である約１mmに設定されている。そして、ボビン３１０と、それと一体となったコーン３０６は、蛇腹状の布製の二つの環状ダンパ３１８及び３２０により、フレーム３０４に支持されている。
一方、磁気回路部は、プレート３０２、ポールピース３２２及び永久磁石３２４から構成されている。
【０００５】
このような動電形スピーカーは、図示していないリード線を介してボイスコイル３０８に電気信号電流を流すことにより、電流の向き、大きさに応じてボイスコイル３０８（ボビン３１０）を振動させ、この振動を振動板３０６に伝え、更に空気を振動させることにより、音を放射するものである。
【０００６】
【発明が解決しようとする課題】
スピーカーの性能は、磁気回路における空隙磁束密度、ボイスコイルの導体体積や重量、コーンの形状、物性及び重量等の種々の要素により決定されるが、これらのほかに、ボイスコイルの振動のコーンへの伝達に関与するという点から、支持手段も非常に重要なスピーカーの性能決定要素となる。
【０００７】
本発明は、従来の動電形スピーカーにおける支持手段を改善することにより、ボイスコイルの振動をコーン全体により正確に伝え、スピーカー性能を向上させうるエッジレススピーカーを提供することを目的とするものである。また、本発明は、コーンの両周面における補強用リブを改善することにより、更に、両スリット環の幅を調整することにより、前記と同様にスピーカー性能を向上させうるエッジレススピーカーを提供することを目的とするものである。
【０００８】
【課題を解決するための手段】
本発明は、環状プレート上に固定され、両底面側が開口した略逆円錐台状のフレームと、前記フレーム内に挿入され、両底面側が開口した逆円錐台状のコーンと、前記コーンの狭口部内周縁に一端開口部近傍の外周面が固着され、前記開口部にダストキャップが被冠されたボビンとを有しており、前記コーンの広口部外周縁とフレームの広口部内周面とが、コーンの広口部外周縁にその内周面が固着された、取付後の正面形状が帯状の内側スリット環の外周面と、フレームの広口部内周面にその外周面が固着された、取付後の正面形状が帯状の外側スリット環の内周面とを介し、一定間隔をおいて近接するように設定されており、前記コーンと前記ボビンが支持手段によりフレームに支持されている振動部と、環状プレートと、環状プレートとともに円筒状空隙を画成するように設置されたポールピースと、前記環状プレートと前記ポールピースの間に挟着され、前記円筒状空隙で駆動力を発生させるための永久磁石とを有する磁気回路部とを備えたエッジレススピーカーにおいて、
前記振動部におけるコーンとボビンのフレームへの支持手段が、特定のダンパを支持具とした特定の支持方法によるものであり、
前記支持具となる特定のダンパが、同一長さの略同一平面形状の細長い平板片である２枚のダンパ部材を組合わせたものであり、
前記ダンパ部材のうちの一つのダンパ部材の平面形状が、基端部の幅が先端部の幅よりも大きく、かつその幅の変化が中間部近傍において段差を形成するように生じており、他の一つのダンパ部材の平面形状が、前記一つのダンパ部材の平面形状と略同一で、基端部から先端部近傍までの幅がより小さいものであり、前記二つのダンパ部材の組合せが、ダンパ部材の基端部平面間にスペーサが挟着、固定され、前記スペーサ挟着部分を除いた２枚のダンパ部材の平面間が間隙を有し、それらの平面同士においてそれらの段差のない長辺を基準として合わされ、前記段差部及び先端部が留め具により固定されてなるものであり、
前記特定の支持方法が、前記コーンの外周面に所要間隔で嵌入され、その周縁で固着された径の異なる１以上の支持環及び前記ボビン外周面に嵌入され、その周縁で固着された支持環のそれぞれの複数部位と、それらに斜方向に対向し、かつ水平位置に相当するフレーム内壁面の複数部位とが複数のダンパにより連結されてなるものであり、
前記連結においてダンパが、ダンパの先端部平面が支持環に固着され、ダンパの基端部平面がそれらに対応するフレーム内壁面に固着されており、同一支持環に取付られた複数のダンパ長さがすべて同一で、かつボビンからコーン広口部に行くにつれて異なる支持環に取付られたダンパの長さが短くなるように設定されており、更に、ダンパ長辺が取付後の正面視で水平になるように、かつ取付後の平面視で、コーン広口部周縁の任意の一点と狭口部中心とを結ぶ直線を斜めに横切るように、すべてのダンパの先端部方向が略同一方向で、ダンパ全体として渦流を形成するようにして取付られていることを特徴とするエッジレススピーカー（以下、説明の便宜のため「第１発明」という」）を提供することにより上記課題を達成するものである。
【０００９】
また、本発明は、前記第１発明のエッジレススピーカーにおいて、更に、コーン外周面に、帯状の長尺体の端部同士が接合され、取付後の正面形状が帯状となるように一体となされた径の異なる複数の環状リブが所要間隔で嵌入され、それらの一周縁部で前記外周面に固着されており、コーン内周面に、平面形状が略長方形の細片である複数の縦リブが、その長辺が広口部周縁から狭口部周縁までの間に位置し、狭口部中心から広口部周縁に向かって放射状でかつ等間隔になるように長辺において固着されていることを特徴とするエッジレススピーカー（以下、説明の便宜のため「第２発明」という」）を提供することにより上記課題を達成するものである。
【００１０】
また、本発明は、前記第２発明のエッジレススピーカーにおいて、更に、前記内側スリット環外周面と外側スリット環内周面との間隔が、コーン裏側の音を逃がすことができる程度に保持されていることを特徴とするエッジレススピーカー（以下、説明の便宜のため「第３発明」という」）を提供することにより上記課題を達成するものである。
【００１１】
【発明の実施の形態】
以下において、明細書に添付した各図面に基づいて本発明を説明する。なお、本発明において、「取付後における平面視又は平面形状」とは、図１、図１５及び図１８中、矢印Ａで示した方向から見た場合をいい、「取付後における正面視又は正面形状」とは、前記矢印Ａと直交する方向から見た場合をいうものである。
【００１２】
図１は、第１発明のエッジレススピーカーの縦方向（直径方向）の断面図である。このエッジレススピーカー１０は、振動部と磁気回路部とからなっており、各部の基本的構造は、支持手段を除いては、上記した図２３で示されるものと同一である。
【００１３】
振動部においては、環状プレート１２上に略逆円錐台状の両底面側が開口したフレーム１４が固定され、そのフレーム１４の内部には逆円錐台状の両底面側が開口した振動板としてのコーン１６が挿入されている。そして、コーン１６の狭口部には、前記狭口部内周縁にその外周面が接するようにして固着された、両底面側が開口した筒状のボビン１８が取付られている。ボビン１８の下部外周面には、ボイスコイル２０が巻回されており、上面側（コーン１６側）開口部にはダストキャップ２１が被冠されている。
【００１４】
また、コーン１６の広口部周縁には、内側スリット環２２がその内周面において固着され、フレーム１４の広口部内周縁には外側スリット環２４がその外周面において固着されている。両スリット環の形状は図２３に示すものと異なるものの、両スリット環の間隔（図２４のＷ2 に相当する間隔）は約０．５mmに設定されている。これらの内側スリット環２２及び外側スリット環２４は、いずれも図２に示すように、帯状の長尺体の両端部を接合して一体となるように成形し、取付後の正面形状が帯状になるようになしたものであり、内側スリット環２２の径は外側スリット環２４の径よりも小さくなるように設定されている。また、前記間隔（約０．５mm）に設定するため、両スリット環の厚さを適宜調整するほか、径の異なる二つのスリット環を組み合わせて、一つの内側スリット環２２又は外側スリット環２４にすることもできる。
【００１５】
なお、フレーム１４は、それ自体が振動に関与するものではなく、本来は振動部として機能するものではないが、第１発明においては、コーン１６及びボビン１８がフレーム１４に連結、支持されているため、振動部に含ませている。
【００１６】
一方、磁気回路部は、プレート１２と、このプレート１２と円筒状空隙（磁気空隙）を画成するように設置されたポールピース２６と、プレート１２とポールピース２６の間に挟着された永久磁石２８とにより構成されている。ポールピース２６の一部は、ボビン１８の下面側開口部からその内部に挿入されている。
【００１７】
以上の振動部及び磁気回路部の構成は従来と同一であるため、その構成は上記内容に限定されるものではなく、各構成要素について当業者により通常なされる改変も含まれるものである。例えば、コーンは図示したようなフラットコーンに代えて、他の形状のコーンを用いることができ、それに応じて、フレームの形状や他の構成要素を改変することができる。
【００１８】
他の形状のコーンとしては、カーブドコーン、パラボリックコーン、更には、ダブルコーンや各種変形コーンも用いることができる。また、このようなコーンの製造材料としては、クラフトパルプ、サルファイトパルプ、和紙又はそれらに動物若しくは植物性繊維や炭素繊維等を抄き入れたもののほか、アルミニウム、ベリリウム、ボロン等の金属単板、ニッケル等を材料とした発泡金属、各種プラスチック等を用いることができ、更に、必要に応じて、制動等の目的のため、ラッカー、樹脂、天然又は人工漆等で表面処理することもできる。
【００１９】
また、他の構成要素の改変例としては、ダストキャップ表面を天然又は人工漆等で処理する例を挙げることができる。
【００２０】
第１発明は、上記構成のエッジレススピーカー１０において、コーン１６とボビン１８のフレーム１４への支持手段を、特定のダンパを支持具とした特定の支持方法に改善したものである。
【００２１】
まず、支持具としてのダンパの構造について、図３及び図４に基づいて説明する。図３（ａ）及び（ｂ）は、ダンパの平面図及び正面図（いずれも取付後を基準）であり、図４（ａ）及び（ｂ）は、前記ダンパを構成する２枚のダンパ部材の平面図を示したものである。
【００２２】
ダンパ３０は、２枚のダンパ部材４１及び４２をそれらの平面において組み合わせてなるものである。
【００２３】
ダンパ部材４１及び４２は、いずれも基端部４１ａ及び４２ａの幅が先端部４１ｂ及び４２ｂの幅よりも大きくなるように設定されており、その幅の変化が中間部近傍において段差を形成するようにして生じているものである。基端部４１ａ及び４２ａからそれぞれの段差部に至るまでの幅は同一であっても、連続して徐々に減少又は増加するように設定されていてもよく、先端部４１ｂ及び４２ｂからそれぞれの段差部に至るまでの幅は、同一であっても連続して徐々に増加又は減少するように設定されていてもよい。ダンパ部材４１及び４２は、基端部４１ａ又は４２ａから先端部４１ｂ又は４２ｂ近傍に至るまでの幅が、ダンパ部材４１の方が大きくなるように設定されている。この２枚のダンパ部材間の幅の差は目視で確認できる程度の小さな差で十分である。
【００２４】
また、第１発明のダンパ部材としては、基端部から先端部までの幅の変化が、段差を生じることなく、連続して徐々に減少している形状のものも用いることができる。
【００２５】
ダンパ部材４１及び４２における基端部と先端部の幅の差は前記要件を満たしていれば特に制限されるものではないが、好ましくは先端部の幅が１に対して基端部の幅が２〜５になるように設定する。
【００２６】
ダンパ部材４１及び４２の基端部から段差部までの長さＬ1 と先端部から段差部までの長さＬ2 は、同等か又はＬ2 の方がＬ1 よりも長くなるように設定されているが、Ｌ1 が１に対してＬ2 が１．３〜１．８になるように設定されていることが好ましい。ダンパ部材４１及び４２間において、Ｌ1 又はＬ2 は同一であることが好ましいが、若干の相違があってもさしつかえない。また、全長（Ｌ1 ＋Ｌ2 ）はいずれも同一に設定するが、製造上生じるようなわずかな誤差についてはさしつかえない。
【００２７】
ダンパ部材４１及び４２の厚さは、適用するスピーカーの大きさや種類により、即ち、コーンに伝わる振動の大きさに対応した耐衝撃性を付与できるように考慮して適宜設定することができる。
【００２８】
このようなダンパ部材としては、可とう性及びスピーカーにおいて通常生じる振動に対する耐衝撃性を有しているものであれば特に限定されるものではなく、プラスチック、金属、合板、各種複合材料等を用いることができるが、第１発明においては、特にガラスエポキシ板（例えば、商品名ニコライト積層板；日光化成会社製）が好ましい。
【００２９】ダンパ３０は、上記した形状の２枚のダンパ部材４１と４２を、それらの基端部平面間にスペーサ４４を挟着し、平面同士を合わせたものである。このとき、２枚のダンパ部材４１と４２の平面間のスペーサ４４挟着部分を除く全面にわたって間隙が設けられている。また、段差のない長辺を基準として、即ち、長辺側の部材平面間に幅方向のずれが生じることなく、図３（ａ）に示すように、段差側の辺に幅方向のずれが生じるように合わせられている。そして、段差部近傍と先端部とは、それぞれが留め具４６、４８で固定されている。なお、先端部については、コーン１６側に固着した際に、両部材の平面が接触することはさしつかえない。
【００３０】
ここで用いるスペーサ４４としては、ダンパ部材と同一材料で同一厚さのものを用いることが好ましく、接着剤等によりダンパ部材間に固着する。また、その大きさや形状は、ダンパ３０からはみ出さないようなものであれば特に制限されるものではなく、例えば、ダンパ部材４２の基端部側の幅以下の長さを一辺とする正方形片をスぺーサとすることができる。したがって、この場合の前記間隙の幅は、スペーサ４４の厚さに相当することになる。また、留め具４６、４８としては、粘着テープ等を用いることができる。
【００３１】
このようなダンパ３０の寸法は、スピーカーの種類やコーンの形状等の種々の要素により異なるが、例えば、通常の１６cmスピーカーであれば、長さが約３０〜８０mm、幅が１〜数mmで、間隙を含む厚さが約０．５〜２mmの範囲で適宜調整することができる。
【００３２】
次に、このような構造のダンパ３０を用いた支持方法について、図１及び図５乃至図９に基づいて説明する。図５は、フレーム１４とコーン１６の支持に用いるコーン１６側に取付ける支持環の斜視図であり、図６は、フレーム１４とコーン１６の支持に用いるコーン１６側に取付ける支持環の平面図であり、図７は、フレーム１４とボビン１８又はコーン１６の支持に用いるフレーム１４側に取付ける支持助材の平面図であり、図８は、図１に示すエッジレススピーカー１０における支持方法の変形態様を説明するための部分断面図であり、図９は、ダンパの取付状態を説明するため、コーン１６を含む一部部材を省略した平面図である。
【００３３】
ダンパ３０による支持方法は、フレーム１４の内側に面した前記コーン１６の外周面（裏面）に取付けられた一方の支持環（図１中の５７、５８）又は他方の支持環（図１中の６５）とフレーム１４の内壁面、更に、前記ボビン１８外周面に取付けられた支持環（図１中の６６）とフレーム１４の内壁面とを、それぞれ複数のダンパ３０（図１中の３１ａ、３１ｄ、３２ａ、３２ｄ、３３ａ、３３ｄ、３４ａ、３４ｄ等）により連結する方法である。これらのダンパ３１ａ等は、それらの先端部がコーン１６側に固着され、基端部がフレーム１４側に固着されることにより、取付けられている。
【００３４】
まず、ダンパ３０の先端部を取付けるコーン１６及びボビン１８の外周面側の支持環について説明する。
支持環は、コーン１６及びボビン１８の外周面に嵌入し、その周縁で固着できるものであれば、その形状は特に制限されるものではない。例えば、幅（直径）方向の断面が円形又は四角形の環を用いることができるが、支持環の取付易さやダンパの取付易さ等を考慮して、図５及び図６に示すような、帯状のものが好ましい。
【００３５】
支持環５０は、図５に示すような、帯状の長尺体の端部同士を接合し、取付後の正面形状が帯状になるように一体となした環である。この支持環５０は、コーン１６の広口部周縁近傍から狭口部周縁近傍に至るまでの外周面に１以上が嵌入され、その一周縁５１において前記外周面に接着剤等により固着されている（図１中の支持環５７、５８）。支持環６０は、図６に示すような、帯状の長尺体の端部同士を接合し、取付後の平面形状が円形帯状になるように一体となした環である。この支持環６０は、コーン１６の広口部周縁近傍の外周面及びボビン１８の外周面に嵌入され、その内周縁６１において接着剤等により固着されている（図１中の支持環６５及び６６）。
【００３６】
これらのうちコーン１６の外周面に取付ける支持環５７、５８又は６５の取付位置は、コーンの形状による全体のバランスや支持環相互の取付位置を総合的に考慮して決定される。例えば、図１に示すように、３つの支持環５７、５８又は６５を用いる場合には、コーン１６の外周面を長さ方向にほぼ三等分するように各支持環を配置する。
【００３７】
これらの支持環５０及び６０には、それぞれダンパによる支持を容易にするため、ダンパの取付座を設けることができる。支持環５０には、長方形平板の中間部が直角に折り曲げられ、その鈍角側の一面裏側が外周面５２に固着され、鋭角側の他の一面表側を取付面とした取付座５５を所要数設けることができる。また、支持環６０には、その外周縁６２側に突設された取付座６３を所要数設けることができる。これらの取付座５５及び６３の数は、使用するダンパ３０の数に対応させる。
【００３８】
この支持方法において用いる支持環は、ダンパを支持できる強度を有していることに加えて、コーンの振動板としての機能を阻害しないような、厚さ、幅、重さ、材質等のものであれば特に制限されるものではない。例えば、通常の１６cmスピーカーであれば、支持環５０及び６０としては、幅が数ミリ程度で厚さがコーン厚さと同程度のアルミニウム環、和紙等の紙製の環、プラスチック環を用いることができる。また、支持環の径の大きさや形状は、取付部位及び取付けようとするコーン１６やボビン１８の大きさや形状に応じて適宜設定することができる。
【００３９】
次に、ダンパ３０の基端部を取付けるフレーム１４の内壁面側について説明する。
【００４０】
このフレーム１４の内壁面のダンパ３０の基端部を取付ける部位は、前記支持環５７、５８、６５及び６６のそれぞれの取付座に斜方向に対向し、かつ水平（例えば、環状プレート１２平面に対して水平）位置に相当する部位である。ダンパ３０の基端部は、このようなフレーム１４の内壁面の取付部位に直接取付けてもよいが、取付作業の容易性や様々な形状のフレームに対応できるように、適当な支持助材（図１中の７１、７２、７３及び７４）を用いることもできる。
【００４１】
支持助材７１及び７４は、いずれも図７に示すような、帯状の長尺体の端部同士を接合し、取付後の平面形状が円形帯状になるように一体となした環である。これらの支持助材７１及び７４は、その一面７６において、フレーム１４の内壁底面上又はフレーム１４の内壁広口部近傍の周面部に接着剤等により固着されている。これらの支持助材７１及び７４の内周縁側には、図中、二点鎖線で示すような突起（取付座）７７を設けることもできる。この取付座７７の数は、それぞれ対応する支持環６６又は６５に設けられた取付座５５の数に応じて決定される。これらの支持助材７１及び７４としては、支持環５０及び６０と同一材料のものを用いることができる。
【００４２】
支持助材７２及び７３は、木製、金属製又はプラスチック製の円柱状又は角柱状の部材であり、その下面において、支持助材７１上に接着剤等により固着されている。これら支持助材７２及び７３の高さは、それぞれ支持環５７及び５８に設けられた取付座５５の取付面と同等に設定されている。これらの支持助材７２及び７３の上面は、ダンパ３０の基端部を取付けられる大きさに設定されている。
【００４３】
また、支持助材７２、７３を用いる代わりに、フレーム１４の内壁側面に、図５において説明した取付座５５を固着し、ダンパ３０の取付座とすることができる。更に、フレーム１４の内壁側面に、図８に示すような階段状面を形成し、各段の平面（階段の踏み板面）を取付座とすることもできる。
【００４４】
次に、図１及び図９に基づいて、支持環５７、５８、６５及び６６と、支持助材７２、７３、７４及び７１との、ダンパ３１ａ、３２ａ、３３ａ、３４ａ等による連結方法について説明する。なお、図９において、８０はスピーカーをエンクロージャーに取付るための螺子穴である。
【００４５】
ダンパ３１ａ等は、先端部平面が支持環５７、５８、６５及び６６の取付座５５上に接着剤等により固着されており、基端部平面が各支持環に対応する支持助材７２、７３、７４及び７１上に接着剤等により固着されている。このとき、ダンパ３１ａ等の基端部、特に、ダンパ３４ａ〜ｄの基端部は、弾性運動を防止するため、接着剤に代えてパテ材で固着させることが好ましい。このパテ材としては、商品名エポキシパテ水中用（セメダイン社製）を用いることができる。一つの支持環（の取付座）と複数の支持助材の組み合わせ（例えば、支持環５７の取付座と複数の支持助材７２）を連結するダンパの数は、２以上、特に４であることが好ましいが、これらに制限されるものではなく、１でもさしつかえない。また、支持環と支持助材の各組み合わせにおいてはいずれも同数のダンパで連結することが好ましいが、組み合わせごとに異なる数のダンパを取付けることもできる。例えば、支持環５７と支持助材７２を２つのダンパで連結し、支持環５８と支持助材７３を４つのダンパで連結することもできる。
【００４６】
ただし、一つの組み合わせに一つのダンパを取付けた場合や組み合わせごとに異なる数のダンパを取付けた場合には、コーン１６の外周面全面にほぼ均等にダンパが配置され、一部周面のみにダンパが集中することのないよう、ダンパ全体のバランスを考慮して配置することが好ましい。
【００４７】
ダンパ３１ａ等の連結においては、いずれの平面側を下にして固着してもよいが、幅の広いダンパ部材（図３における４１）面が下（固着面）になるように取付けることが好ましい。このようにして固着した場合、段差の無い（又は段差の有る）長辺側がすべて同一周方向を向くようになる。
【００４８】
同一支持環に取付られた複数のダンパは、すべて同一長さに設定されている。したがって、ダンパ３１ａ〜３１ｄ、ダンパ３２ａ〜３２ｄ、３３ａ〜３３ｄ及び３４ａ〜３４ｄはそれぞれにおいて同一長さである。
【００４９】
また、ボビン１８からコーン１６の広口部に行くにつれて、図１及び図９に示すとおり、取付られたダンパ３１ａ〜３１ｄ、３２ａ〜３２ｄ、３３ａ〜３３ｄ及び３４ａ〜３４ｄの長さが順に短くなるように設定されている。これらの各ダンパ間におけるダンパ長さの比率には決まったものはないが、図１及び図９に示すとおり計４つの異なる長さのダンパで支持する場合には、最も短いダンパ３４ａ等の長さが１の場合、ダンパ３３ａ等が１．１〜１．５、ダンパ３２ａ等が１．４５〜１．８５、ダンパ３１ａ等が１．８〜２．２の範囲の長さになるように調整することが好ましく、これらのダンパのなかでも特にダンパ３１ａ等は、ダンパ３４ａ等の長さの約２倍長さになるように調整することが好ましい。
【００５０】
また、ダンパの幅は、長さの関係に対応して、ダンパの長さが短くなるほど幅も小さくなるように設定する。
【００５１】
ダンパ３１ａ等は、連結後（取付後）における正面視の状態で、ダンパ長辺が水平になるように取付けられている。ここでいう「水平」とは、例えば、プレート１２面と平行と見なしてよいが、厳密には、コーン１６の広口部周縁に相当する母線（図１中の実線９０）と平行という意味である。これは、実用時におけるコーンの周方向への回転をわずかに許容し、同時に制止するためである。
【００５２】
また、ダンパ３１ａ等は、連結後（取付後）における平面視の状態で、コーン１６広口部周縁の任意の一点と狭口部（又はボビン開口部）中心（図９中のＯ）とを結ぶ直線（例えば、図９中の実線９１及び９２）を斜めに横切るようにして取付けられている。これは即ち、一つの支持環の取付座とそれに対応する支持助材の取付座相当部分とが、正対する位置にならない（前記例でいえば同一実線９１又は９２上に無い）で、斜方向に対向するように設置されているということである。更に、すべてのダンパの先端部方向（又は基端部方向）は略同一方向で、ダンパ全体として渦流を形成するように取付られている。これは上記のとおり、実用時におけるコーンの周方向への回転をわずかに許容し、同時に制止するためである。
【００５３】
次に、第１発明のエッジレススピーカーの実用時における支持手段の作用について説明する。
【００５４】
図１において、まず、図示していないリード線を介してボイスコイル２０に電気信号電流を流すことにより、電流の向き、大きさに応じてボイスコイル２０（ボビン１８）を上下に振動させる。すると、この上下振動は一体化されているコーン１６に伝わり、コーン１６の振動が空気を振動させることにより、スピーカーから音が放射される（スピーカーが鳴る）。このような過程において、ボビン１８の上下振動はダンパ３１ａ〜３１ｄに伝わり、コーン１６の上下振動はダンパ３２ａ〜３２ｄ、ダンパ３３ａ〜３３ｄ及びダンパ３４ａ〜３４ｄに伝わる。このとき、各ダンパは、その特定の形状及び構造、更に特定の支持方法により、「コーンの暴れ」を抑制し、より正確な上下振動を伝えるように作用するとともに、コーンの周方向への好ましい回転を実現するように作用するものである。
【００５５】
以下において、まず、ダンパが特定の形状及び構造であることによる作用機構を、図３、図４、図９、図１０、図１１及び図１２に基づいて説明する。
【００５６】
ダンパ３０は、図４に示すように、ダンパ部材４１とダンパ部材４２のいずれもが、段差の付いた先細りの平面形状をしている。また、ダンパ部材４１とダンパ部材４２とで幅の大きさが相違している。このため、ダンパ３０が上下振動した場合、一つのダンパ部材の長さ方向の各部分において、特に段差を境にして基端部側と先端部側とで振動状態が異なり、同時に、二つのダンパ部材間で振動状態が異なる。
【００５７】また、ダンパ３０は、図３に示すように、基端部間にスペーサ４４が挟着され、二つのダンパ部材４１とダンパ部材４２の間に間隙が設けられている。このスペーサ４４の存在（即ち、間隙の存在）により、図１０（先端部の留め具の図示は略している）に示すように、基端部を基点として両方向に円弧を描いた場合、ダンパ部材４１とダンパ部材４２の先端部により描かれる二つの円弧には若干のずれが生じる。このため、ダンパ３０が上下振動した場合、上方向への動きと下方向への振動状態は同一ではなく、異なる振動状態を示す。
【００５８】
更に、ダンパ３０は、その段差部分において留め具４６で二つのダンパ部材４１とダンパ部材４２が一体化されている。この留め具４６の存在により、図１１の（ａ）及び（ｂ）に示すように、上方向及び下方向のいずれの方向に動く場合にも、ダンパ３０は一体として上下に動く。もし、留め具４６が無い場合には、図１２（ａ）及び（ｂ）に示すように、下方向からの振動に対してはダンパ部材４１が大きく歪み、上方向からの振動に対してはダンパ部材４２が大きく歪むことになる。
【００５９】
このように、ダンパ３０はその形状及び構造に起因した特徴的な振動をするが、その振動過程において、ダンパ３０の二つのダンパ部材４１とダンパ部材４２は、主として段差部から先端部までの間で互いに摩擦し、互いの振動を打ち消し合うように働く。この働きにより、ダンパ３０は、「コーンの暴れ」を抑制し、より正確な上下振動を伝えるように作用するものである。
【００６０】
このようなダンパの作用を目視的に確認するため、次の試験を行った。まず、机上に置いた台座に、ガラスエポキシの長方形片（長さ５０mm、幅８mm、厚さ約０．３mm；ダンパ素材と同一のもの）の一端部と、ダンパ３０（長さ５０mm、基端部の幅約５mm、先端部の幅約１mm、基端部から段差部までの長さ約２０mm、間隙を含む厚さ約１mm）の基端部とを固定した。次に、それぞれの先端部に対し、実用時における上下振動と同じになるようにそれらの平面に垂直方向に同一荷重を加えた。その後、前記荷重を取り去った場合における振動状態を、４枚の連続写真（１５cmの距離から撮影）である図１４（ａ）〜（ｄ）に基づいて説明する。なお、（ａ）〜（ｄ）までの時間経過は１秒余りである。
【００６１】
図１４から明らかなとおり、ダンパ３０は、（ｂ）の時点において既に静止状態にあったが、長方形片は依然として大きく振動していた。この結果から、ダンパ３０の振動打ち消し効果が確認された。
【００６２】
次に、特定の支持方法を採っていることによる作用機構を、図９及び図１３に基づいて説明する。
【００６３】
上記したとおり、コーン１６の広口部に近づくほど、支持に用いたダンパの長さは短くなっており、このようなダンパ長さの相違は、ボビン１８及びコーン１６の狭口部の振動が大きく、広口部の振動が小さいことに起因するものである。この振動の大きさとダンパ長さの関係を、図１３に基づいて説明する。図１３に示すダンパは、最も長いダンパ３１と最も短いダンパ３４であり、ダンパ３１の長さはダンパ３４の長さの２倍に設定している。ボビン１８を支持しているダンパ３１は大きな振動を受け、コーン１６の広口部周縁を支持するダンパ３４の振動はそれよりも小さなものとなる。ここで、ダンパ３１とダンパ３４に同じ上下動が加わった場合、つまり、両ダンパが同じ振れ幅だけ動いた場合は、図１３（ａ）及び（ｂ）から明らかなとおり、ダンパ３１の振れる角度はダンパ３４の振れる角度よりも小さくなる。
【００６４】
したがって、ボビン１８を支持し、大きな振動を受けるダンパ３１は小さな角度で振動することにより、「コーンの暴れ」を抑制し、より正確な上下振動を伝えるように作用する。一方、コーン１６の広口部周縁を支持し、小さな振動を受けるダンパ３４は大きな角度で振動することにより、前記と同様の作用をするものである。このように、取付位置においてダンパの長さを少しずつ相違させていることにより、コーン１６の全体にわたってほぼ均等に、「コーンの暴れ」が抑制され、より正確な上下振動が伝えられる。
【００６５】
また、スピーカーのコーンは、その実用時において、通常、上下振動と共にわずかに周方向へ回転しようとする。従来のダンパ３１８及び３２０（図２３参照）はこの回転を積極的に阻止するように作用している。
【００６６】
しかし、第１発明の各ダンパは、上記したように、すべてのダンパの先端部方向（又は基端部方向）は略同一方向で、ダンパ全体として渦流を形成するように取付られている。したがって、このように配置されたダンパ全部が、コーンの周方向への好ましいわずかな回転（１mm乃至２mm程度）を許容すると共に、過度の回転を制止するように作用する。
【００６７】
次に、図１５乃至図１７に基づいて、新たな構成要素として、更に環状リブ及び縦リブを第１発明のエッジレススピーカーに加えた第２発明のエッジレススピーカーについて説明する。図１５は、第２発明のエッジレススピーカーの縦方向（直径方向）の断面図であり、図１６は、縦リブの平面図であり、図１７は、図１５のエッジレススピーカーの平面図である。なお、図１７中、破線で示した部分は、コーンの狭口部周縁に近い方から順に、環状リブ１８１、環状リブ１８２、支持環１５７、環状リブ１８３、環状リブ１８４、支持環１５８、環状リブ１８５及び環状リブ１８６を示す。また、１９５はエンクロージャーに取付けるための螺子穴を示す。
【００６８】
図１５に示すエッジレススピーカー１００の振動部及び磁気回路部の基本的構造は、環状リブ１８１、１８２、１８３、１８４、１８５及び１８６と縦リブ１９０の複数を付加したことを除いては、第１発明のエッジレススピーカーと同一である。
【００６９】
振動部は、フレーム１１４、コーン１１６及びボイスコイル１２０が巻回され、ダストキャップ１２１が被冠されたボビン１１８を有している。１２２は内側スリット環、１２４は外側スリット環であり、１５７、１５８、１６５及び１６６は支持環であり、１５５は支持環に設けられた取付座であり、１７１、１７２、１７３及び１７４は支持助材であり、１３１ａ〜１３１ｄ、１３２ａ〜１３２ｄ、１３３ａ〜１３３ｄ及び１３４ａ〜１３４ｄはダンパである。
【００７０】
一方、磁気回路部は、プレート１１２、ポールピース１２６及び永久磁石１２８により構成されている。
【００７１】
コーン１１６の外周面には、所要間隔をおいて複数の環状リブ１８１〜１８６が取付けられている。
【００７２】
この環状リブとしては、コーン１１６の外周面に嵌入し、その周縁で固着できるものであれば、その形状は特に制限されるものではなく、例えば、図５に示す支持環５０と同一のもの（ただし、取付座５５は不要である）を用いることができる。この図５に示すような環状リブ１８１〜１８６は、それぞれコーン１１６の広口部周縁近傍から狭口部周縁近傍に至るまでの外周面（裏面）に嵌入され、その一周縁（図５における５１に相当する周縁）において、接着剤等により固着することにより取付られている。これらの環状リブ１８１〜１８６の径の大きさは、それらを嵌入するコーン１１６の径の大きさに応じて調整されている。即ち、コーン１１６の広口部周縁近傍から狭口部周縁近傍に行くにつれて、取付ける環状リブの径が順に小さくなるように設定されている。
【００７３】
環状リブ１８１〜１８６を取付ける間隔は、各環状リブ間のコーン１１６外周面の長さ方向への間隔が等しくなるようにすることが好ましいが、特に、支持環１５７及び１５８も含めて等間隔になるように取付けることが好ましい。したがって、取付ける環状リブの数は、支持環の数を考慮して決定することが好ましく、更には、コーン１１６の内周面に取付ける縦リブの数をも考慮して決定することが好ましい。
【００７４】
コーン１１６の内周面には、所定により配置された複数の縦リブ１９０が、それらの長辺において、接着剤等により取付けられている。
【００７５】
まず、縦リブ１９０の形状について説明する。縦リブ１９０の形状は平面形状が略長方形の細片であるが、この発明でいう「平面形状が略長方形」とは、長辺を有している長方形及びそれに近似した多角形を意味するものである。したがって、図１６（ａ）、（ｂ）及び（ｃ）に示すように、長方形、台形及び六角形等のいずれの平面形状の縦リブ１９０ａ、１９０ｂ及び１９０ｃでもよい。これらの長辺（又は下辺）１９１ａ〜１９１ｃ及び短辺（又は上辺）１９２ａ〜１９２ｃは、取付けるコーン１１６の内周面の形状に応じて、曲線にしたり適当な角度を付けたりすることができる。
【００７６】
その長辺の長さはコーン１１６の広口部周縁から狭口部周縁までの長さを考慮して決定されるものであり、高さ（Ｈ）は特に制限されるものではなく、例えば、１６cmスピーカーであれば、長辺の長さが６０〜７０mmで、高さ（Ｈ）が数mm前後であれば十分である。この縦リブ１９０は、コーン１１６と同一の材料で調製することが好ましく、紙製の縦リブの場合には、必要に応じて強度付与のための樹脂による含浸処理等をすることもできる。
【００７７】
次に、縦リブ１９０の配置について説明する。縦リブ１９０は、その長辺がコーン１１６の広口部周縁から狭口部周縁までの間に位置し、狭口部から広口部へ放射状に、かつ各縦リブ間が等間隔になるように複数が配置されている。
【００７８】
縦リブ１９０は、長辺がコーン１１６の広口部周縁から狭口部周縁までの間に位置するように配置すればよいが、図１５及び図１７に示すように、長辺の一端がコーン１１６の広口部周縁の近傍に位置し、他端が狭口部周縁に接するようにして配置することが好ましい。
【００７９】
また、狭口部から広口部へ放射状に、かつ各縦リブ間が等間隔になるように複数を配置するが、この縦リブ間の間隔、即ち、縦リブの数は、環状リブの配置を考慮して調整することが好ましい。例えば、通常の１６cmスピーカーであれば、内周面上の二つの縦リブと外周面上の二つの環状リブ（又は一つの環状リブと一つの支持環）により囲まれるコーン１１６の面積が、最大でも５mm2 程度になるように、縦リブ１９０の配置を調整することが好ましい。
【００８０】
次に、図１５で示すエッジレススピーカーの変形態様を図１８に基づいて説明する。図１８は、図１５のエッジレススピーカーの変形態様の部分断面図である。この変形態様においては、取付座１５５として、図５に示した形状のものに代えて正面視で「コの字状」の取付座１５５’を用いている。取付座１５５’は、その一面において支持環１５８の外周面に固着され、更に、他部において環状リブ１８５の外周面に固着されている。このとき、ダンパ１３３ａの基端部を固着する際には、図示するように、取付座１５５’内側の凹部に樹脂１５９を充填することにより、固着することもできる。なお、図示は省略しているが、支持環１５７においても前記取付座１５５’を適用することができる。
【００８１】
次に、第２発明のエッジレススピーカーの実用時における、環状リブ及び縦リブの作用について説明する。
【００８２】
図１５において、まず、図示していないリード線を介してボイスコイル１２０に電気信号電流を流することにより、電流の向き、大きさに応じてボイスコイル１２０（ボビン１１８）を上下に振動させる。すると、この上下振動は一体化されているコーン１１６に伝わり、コーン１１６の振動が空気を振動させることにより、スピーカーから音が放射される（スピーカーが鳴る）。このような過程において、コーン１１６の内周面側に取付けられた各ダンパは上記したとおり、「コーンの暴れ」を抑制し、より正確な上下振動を伝えるように作用するとともに、コーン１１６の周方向への好ましい回転を許容する。
【００８３】
そして、複数の縦リブ１９０は、その配置状態により、ボイスコイル１２０の振動をコーン１１６の狭口部から広口部へ伝えるように作用し、同時に、環状リブ１８１等は、複数の縦リブ１９０と連動し、前記振動を周方向へ伝えるように作用する。このような複数の縦リブ１９０及び環状リブ１８１等の作用により、ボイスコイル１２０の振動がコーン１１６の全面にわたって均等に伝えられる。更に、複数の縦リブ１９０と環状リブ１８１等が、コーン１１６の両周面において格子状に組み合わされているため、コーン１１６全体を補強する効果を有するほか、振動によるコーン１１６の歪みも防止することができる。
【００８４】
次に、図１９及び図２０に基づいて、新たな構成要素として、内側スリット環と外側スリット環の間隔を従来よりも大きくした第３発明のエッジレススピーカーについて説明する。図１９は、第３発明のエッジレススピーカーの縦方向（直径方向）の断面図であり、図２０は図１９に示すエッジレススピーカーの部分拡大図である。
【００８５】
図１９に示すエッジレススピーカー２００の振動部及び磁気回路部の基本的構造は、内側スリット環と外側スリット環の間隔を大きくしたほかは第２発明のエッジレススピーカーと同一である。
【００８６】
振動部は、フレーム２１４、コーン２１６及びボイスコイル２２０が巻回され、ダストキャップ２２１が被冠されたボビン２１８を有している。また、２２２は内側スリット環、２２４は外側スリット環であり、２５７、２５８、２６５及び２６６は支持環であり、２５５は支持環に設けられた取付座であり、２７１、２７２、２７３及び２７４は支持助材であり、２３１ａ〜ｄ、２３２ａ〜ｄ、２３３ａ〜ｄ及び２３４ａ〜ｄはダンパである。更に、２９０は縦リブであり、２８１、２８２、２８３、２８４、２８５及び２８６は環状リブである。
【００８７】
一方、磁気回路部は、プレート２１２、ポールピース２２６及び永久磁石２２８により構成されている。
【００８８】
エッジレススピーカー２００においては、内側スリット環２２２の外周面と外側スリット環２２４の内周面の間隔Ｗ1 （図２０参照）が、約４mmに設定されている。この間隔は、内側スリット環２２２又は外側スリット環２２４自体の厚さを増減したり、複数の環を組み合わせて一つのスリット環とし、厚さを増加させたりすることにより調整する。
【００８９】
従来のエッジレススピーカーにおいては、図２４に示すように、間隔Ｗ2 が約１mmに設定され、コーン３０６裏側のこもり音をスピーカー前方に逃がさないようにしている。しかし、第３発明のエッジレススピーカー２００においては、間隔Ｗ1 を約４mmに設定することにより、コーン２１６裏側のこもり音を、スピーカ前方に逃がすことができる。
【００９０】また、第３発明のエッジレススピーカーには、上記構成に加え、更に新たな構成要素として、ボビン２１８内部に振動吸収部材２９５を取付けることができる。
【００９１】
振動吸収部材２９５の取付位置は、ダストキャップ２２１の直下（ただし、接触はしていない）からボイスコイル２２０の巻回部分より上までの内部空間であり、好ましくはダストキャップ２２１の直下である。この振動吸収部材２９５は、ボビン２１８の内部形状に対応させた平面が円形の平板であり、その周面においてボビン２１８内周面の所望部位に固着されている。
【００９２】
振動吸収部材２９５としては、軽量で吸音性を発揮するもの、例えば、多孔質材料が好ましく、この多孔質材料の例としては、軟質ウレタンフォームやフェルトを挙げることができる。振動吸収部材２９５の厚さや取付枚数は特に制限されるものではなく、通常の１６cmスピーカーであれば、厚さが数mm程度のものを１枚取付ければ十分である。
【００９３】
このような振動吸収部材２９５を取付けることにより、ボビン２１８内部の残響を取り除くことができる。この技術は、第１発明及び第２発明にも適用することができる。
【００９４】
また、第３発明のエッジレススピーカーには、上記構成に加え、更に新たな構成要素として、フレーム２１４の内部側壁面を振動吸収材で被覆するという構成を付加することができる。
【００９５】
ここでいうフレーム２１４の内部側壁面はフレームの形状に応じて異なるが、コーン外周面を包囲する側壁面の全部又は一部がこれに相当する。したがって、図１９に示すエッジレススピーカー２００においては、フレーム２１４の側壁２９６が振動吸収材で被覆することができる。この側壁２９６の位置を、フレーム２１４のみの平面図を示す図２０により説明すると、図において網目を付した側壁が側壁２９６に相当する。２９８はフレームの開口部を示す。
【００９６】
振動吸収材としては、塗布又は貼り付けられるものであることが必要で、例えば、樹脂系の接着剤等を用いることができる。この樹脂系の接着剤としては、エポキシ樹脂系接着剤を挙げることができ、そのなかでも水中硬化型のエポキシ樹脂系接着剤（例えば、商品名エポキシパテ；セメダイン社製）が好ましい。振動吸収材の被覆厚さは特に制限されるものではなく、通常の１６cmスピーカーであれば、厚さが約１〜数mmであれば十分である。
【００９７】
このように側壁２９６を振動吸収材で被覆することにより、フレーム２１４の振動による不快音の発生を防止できる。この技術は、第１発明及び第２発明にも適用することができる。
【００９８】
また、第３発明のエッジレススピーカーには、上記構成に加え、更に新たな構成要素として、フレーム２１４と環状プレート２１２との接合部外周を、接着剤で固定処理する構成を付加することができる（図１９中の２９７）。フレーム２１４は、通常、リベット等で環状プレート２１２に固定されているが、この接着剤による固定処理は、それを更に補強するものである。このような接着剤としては、シリコーンゴム系接着剤、例えば、商品名ホットメルトスティック（ヘンケル白水社製）を挙げることができる。
【００９９】
第３発明のエッジレススピーカーで用いたダンパ２１３ａ等は、従来技術における布製のダンパに比べると弾性が大きく、バネに近い性質を有する。このため、このようなシリコーンゴム系接着剤等による固定処理は、ボビン２１８及びコーン２１６の振動による反動を受けてフレーム２１４が振動し、環状プレート２１２との接合部間で起こる不快な金属音の発生を防止するように作用する。この技術は、第１発明及び第２発明にも適用することができる。
【０１００】
また、第３発明のエッジレススピーカーには、上記構成に加え、更に新たな構成要素として、コーン２１６を１以上の支持材２９９により支持することもできる。支持材２９９は、木製、プラスチック製、金属製等の棒状の部材であり、その一端は支持環２６６上に固着されており、他端はコーン２１６の外周面に固着されている。このような支持材２９９を取付けることにより、支持環２６６の上下方向への振動を抑制できる。この技術は、第１発明及び第２発明にも適用することができる。
【０１０１】
以上、本発明を実施例を挙げて説明したが、本発明はこれらに限定されるものではなく、また、本発明は当業者により通常なされる改変も含むものである。
【０１０２】
【発明の効果】
本発明のエッジレススピーカーは、次に示す種々の構成に応じて、それぞれスピーカー性能の向上という優れた効果を得ることができる。
まず、特定のダンパによる特定の支持方法を用いたことにより、「コーンの暴れ」が抑制され、より正確な上下振動がコーンに伝えられ、更に、コーン周方向へのわずかな回転が許容される。これにより上記効果を得ることができる。
【０１０３】
次に、前記構成に加えて、更にコーンの内外周面に縦リブ及び環状リブを取付けることにより、ボイスコイルの振動を、より一層正確にコーン全面にわたって伝えることができ、同時にコーンの歪みを防止できる。これにより上記効果を得ることができる。
【０１０４】
また、前記構成に加えて、内側スリット環と外側スリット環の幅を従来技術よりも広くすることにより、コーン裏側のこもり音をスピーカー前面に逃がすことができる。これにより上記効果を得ることができる。
【０１０５】
更に、前記構成に加えて、ボビン内部に振動吸収部材を取付けること、フレームの内部側壁面を振動吸収材で被覆すること、フレームと環状プレートの接合面を接着剤で固定すること、という各構成を付加することにより、上記効果を得ることができる。
【図面の簡単な説明】
【図１】図１は、エッジレススピーカーの直径方向への断面図である。
【図２】図２は、内側又は外側スリット環の斜視図である。
【図３】図３（ａ）はダンパの正面図であり、図３（ｂ）はダンパの平面図である。
【図４】図４（ａ）は一つのダンパ部材の平面図であり、図４（ｂ）は他の一つのダンパ部材の平面図である。
【図５】図５は支持環の斜視図である。
【図６】図６は支持環の平面図である。
【図７】図７は一つの支持助材の平面図である。
【図８】図８は、図１に示すエッジレススピーカーの変形態様の直径方向への部分断面図である。
【図９】図９は、図１に示すエッジレススピーカーにおけるダンパの取付状態を説明するための一部を省略した平面図である。
【図１０】図１０はダンパの機能を説明するための図である。
【図１１】図１１はダンパの機能を説明するための図である。
【図１２】図１２はダンパの機能を説明するための図である。
【図１３】図１３はダンパの機能を説明するための図である。
【図１４】図１４はダンパの機能を説明するための連続写真である。
【図１５】図１５はエッジレススピーカーの他の態様の直径方向への断面図である。
【図１６】図１６は縦リブの平面図である。
【図１７】図１７は、図１５に示すエッジレススピーカーの平面図である。
【図１８】図１８は、図１５に示すエッジレススピーカーの変形態様の部分断面図である。
【図１９】図１９は、エッジレススピーカーの他の態様の直径方向への断面図である。
【図２０】図２０は、図１９に示すエッジレススピーカーの部分断面図である。
【図２１】図２１は、図１９に示すエッジレススピーカーのフレームの概略平面図である。
【図２２】図２２は、図１９に示すエッジレススピーカーの変形態様の部分断面図である。
【図２３】図２３は、従来のエッジレススピーカーの直径方向への断面図である。
【図２４】図２４は、図２１に示すエッジレススピーカーの部分断面図である。
【符号の説明】
１０  エッジレススピーカー
１２  プレート
１４  フレーム
１６  コーン
１８  ボビン
２０  ボイスコイル
２１  ダストキャップ
２２  内側スリット環
２４  外側スリット環
２６  ポールピース
２８  永久磁石
３１ａ〜３１ｄ  ダンパ
３２ａ〜３２ｄ  ダンパ
３３ａ〜３３ｄ  ダンパ
３４ａ〜３４ｄ  ダンパ
５７、５８、６５、６６  支持環
７１、７２、７３、７４  支持助材
１００  エッジレススピーカー
１１２  プレート
１１４  フレーム
１１６  コーン
１１８  ボビン
１２０  ボイスコイル
１２１  ダストキャップ
１２２  内側スリット環
１２４  外側スリット環
１２６  ポールピース
１２８  永久磁石
１３１ａ〜１３１ｄ  ダンパ
１３２ａ〜１３２ｄ  ダンパ
１３３ａ〜１３３ｄ  ダンパ
１３４ａ〜１３４ｄ  ダンパ
１５７、１５８、１６５、１６６  支持環
１７１、１７２、１７３、１７４  支持助材
１８１、１８２、１８３、１８４、１８５、１８６  環状リブ
１９０  縦リブ
２００  エッジレススピーカー
２１２  プレート
２１４  フレーム
２１６  コーン
２１８  ボビン
２２０  ボイスコイル
２２１  ダストキャップ
２２２  内側スリット環
２２４  外側スリット環
２２６  ポールピース
２２８  永久磁石
２３１ａ〜２３１ｄ  ダンパ
２３２ａ〜２３２ｄ  ダンパ
２３３ａ〜２３３ｄ  ダンパ
２３４ａ〜２３４ｄ  ダンパ
２５７、２５８、２６５、２６６  支持環
２７１、２７２、２７３、２７４  支持助材
２８１、２８２、２８３、２８４、２８５、２８６  環状リブ
２９０  縦リブ
２９５  振動吸収部材
２９６  振動吸収材被覆面
２９７  接着剤
【図１】
0003540077.tif 000002
【図２】
0003540077.tif 000003
【図３】
0003540077.tif 000004
【図４】
0003540077.tif 000005
【図５】
0003540077.tif 000006
【図６】
0003540077.tif 000007
【図７】
0003540077.tif 000008
【図８】
0003540077.tif 000009
【図９】
0003540077.tif 000010
【図１０】
0003540077.tif 000011
【図１１】
0003540077.tif 000012
【図１２】
0003540077.tif 000013
【図１３】
0003540077.tif 000014
【図１４】
0003540077.tif 000015
【図１５】
0003540077.tif 000016
【図１６】
0003540077.tif 000017
【図１７】
0003540077.tif 000018
【図１８】
0003540077.tif 000019
【図２１】
0003540077.tif 000020
【図１９】
0003540077.tif 000021
【図２０】
0003540077.tif 000022
【図２２】
0003540077.tif 000023
【図２３】
0003540077.tif 000024
【図２４】
0003540077.tif 000025